(57)【要約】【課題】画像記録再生装置のアクセス性を改善すること。【解決手段】撮像手段により撮像された動画データと静止画データとを記録媒体に記録すると共に、静止画データをプリンタに出力する機能を有する画像記録再生装置であって、動画データの記録開始を指示する撮影開始ボタン（７１）と、動画データの記録終了を指示する撮影終了ボタン（７２）と、各記録期間毎に動画データを記録する記録手段（１、３、２１）と、各期間の動画データの内容を代表する静止画を示すサムネール画像データを生成する静止画処理部（２３）と、各期間の動画データの記録順序を示す情報と、動画データの記録媒体上の記録開始位置及び記録開始時間の少なくともいずれか一方を表わす情報とを生成し、各期間のサムネール画像データに関連付けて記録するシステム制御部（２１９）と、サムネール画像データと、対応する期間の記録順序情報とを関連付けてプリンタに出力する印刷処理部（２４）とを有する。【選択図】　図１
2004080599.tif 000002
【特許請求の範囲】
【請求項１】
撮像手段により撮像された動画データと静止画データとを記録媒体に記録すると共に、前記静止画データをプリンタに出力する機能を有する画像記録再生装置であって、
前記動画データの記録開始を指示する記録開始手段と、
前記動画データの記録終了を指示する記録終了手段と、
前記記録開始手段による記録開始の指示から前記記録終了手段による記録終了の期間毎に前記動画データを記録する第１の記録手段と、
前記各期間の動画データの内容を代表する静止画を示すサムネール画像データを生成するサムネール画像生成手段と、
前記各期間の動画データの記録順序を示す情報と、前記動画データの記録媒体上の記録開始位置及び記録開始時間の少なくともいずれか一方を表わす情報とを生成し、前記各期間のサムネール画像データに関連付けて記録する第２の記録手段と、
前記サムネール画像データと、このサムネール画像データに対応する期間の記録順序情報とを関連付けて前記プリンタに出力する出力手段と
を有することを特徴とする画像記録再生装置。
【請求項２】
前記出力手段は、少なくとも各期間のサムネール画像とこのサムネール画像に対応する各期間の記録順序とを互いに近くに配置した第１フォーマットと、少なくとも各期間のサムネール画像と、対応する各期間の記録順序と、各期間に対応した所定の枠とを互いに近くに配置した第２フォーマットのいずれかによりプリントを行うよう、前記サムネール画像データと前記記録順序情報とを前記プリンタに出力することを特徴とする請求項１に記載の画像記録再生装置。
【請求項３】
前記各期間の動画をシーン毎に分割する分割手段を更に有し、
前記サムネール画像生成手段は、更に、前記分割したシーン毎の動画の内容を代表する静止画を示すサムネール画像データを生成し、
前記第２の記録手段は、更に、前記各シーンの動画データの記録順序を示す情報と、前記各シーンの記録媒体上の記録開始位置及び記録開始時間の少なくともいずれか一方を表わす情報とを生成し、前記各シーンのサムネール画像データに関連付けて記録し、
前記出力手段は、更に、前記サムネール画像データと、このサムネール画像に対応するシーンの記録順序情報とを関連付けて前記プリンタに出力する
ことを特徴とする請求項１または２に記載の画像記録再生装置。
【請求項４】
前記分割手段は、動画の各フレーム画像間の差分を検出する差分検出手段、前記撮像手段におけるズームの変化を検出するズーム検出手段、パンの変化を検出するパン検出手段、チルトの変化を検出するチルト検出手段の内、少なくとも１つを有することを特徴とする請求項３に記載の画像記録再生装置。
【請求項５】
前記各期間毎の動画のいずれかを選択する選択手段を更に有し、
前記出力手段は、前記選択手段によりいずれかの期間の動画が選択された場合に、前記選択された期間の動画の、少なくとも各シーンのサムネール画像と、対応する各シーンの記録順序とを互いに近くに配置した第３フォーマットと、前記選択された期間の動画の少なくとも各シーンのサムネール画像と、対応する各シーンの記録順序と、各シーンに対応した所定の枠とを互いに近くに配置した第４フォーマットのいずれかによりプリントを行うよう、前記サムネール画像データと前記記録順序情報とを前記プリンタに出力することを特徴とする請求項３または４に記載の画像記録再生装置。
【請求項６】
前記出力手段は、更に、少なくとも各期間の記録順序と、各期間に対応した所定の枠とを互いに近くに配置した第５フォーマットの画像と、所定の枠を配置した第６フォーマットの画像とのいずれかをプリントするよう、前記プリンタを制御することを特徴とする請求項１または２に記載の画像記録再生装置。
【請求項７】
前記出力手段は、更に、少なくとも各シーンの記録順序と、各シーンに対応した所定の枠とを互いに近くに配置した第５フォーマットの画像と、所定の枠を配置した第６フォーマットの画像とのいずれかをプリントするよう、前記プリンタを制御することを特徴とする請求項３乃至４のいずれかに記載の画像記録再生装置。
【請求項８】
前記所定の枠は、前記動画を再生する順番を記入する為の枠を含むことを特徴とする請求項６または７に記載の画像記録再生装置。
【請求項９】
付加情報と、該付加情報に対応する識別情報を記憶する記憶手段を更に有し、
前記所定の枠は、前記付加情報を示す識別情報を記入するための枠を含むことを特徴とする請求項６乃至８のいずれかに記載の画像記録再生装置。
【請求項１０】
前記付加情報は、音声情報を含むことを特徴とする請求項９に記載の画像記録再生装置。
【請求項１１】
前記付加情報は、画像効果を示す情報であることを特徴とする請求項９または１０に記載の画像記録再生装置。
【請求項１２】
前記第５フォーマットでは、前記記録順序と、前記所定の枠とを異なる色で出力することを特徴とする請求項６乃至１１のいずれかに記載の画像記録再生装置。
【請求項１３】
前記第６フォーマットでは、前記所定の枠を異なる目的毎に異なる色で出力することを特徴とする請求項６乃至１２のいずれかに記載の画像記録再生装置。
【請求項１４】
前記第５及び第６フォーマットの画像の全ページ数を判定する判定手段を更に有し、
前記第５及び第６フォーマットは、前記全ページ数及び各ページ番号を示す情報を示す領域を含むことを特徴とする請求項６乃至１３のいずれかに記載の画像記録再生装置。
【請求項１５】
前記第５及び第６フォーマットの画像の全ページ数を判定する判定手段を更に有し、
前記第５及び第６フォーマットは、必要ページ数及び必要ページのページ番号を示す領域を含むことを特徴とする請求項６乃至１３のいずれかに記載の画像記録再生装置。
【請求項１６】
前記第５及び第６フォーマットの画像の全ページ数を判定する判定手段を更に有し、
前記第５及び第６フォーマットは、各フォーマットの画像に継続するページがあるかどうかを示す情報を含むことを特徴とする請求項６乃至１３のいずれかに記載の画像記録再生装置。
【請求項１７】
動画の編集を指示する編集指示手段と、
動画の編集が指示された場合に、被写体画像の文字を認識し、編集指示情報を取得する認識手段と、
前記編集指示情報に基づいて、前記第１及び第２の記録手段に記録された情報を用いて、前記記録媒体に記録された動画データの自動編集を行う編集手段と
を有することを特徴とする請求項２及び５乃至１６のいずれかに記載の画像記録再生装置。
【請求項１８】
代表静止画は各期間の動画データの先頭のフレーム画像であることを特徴とする請求項１に記載の画像記録再生装置。
【請求項１９】
代表静止画は各シーンの動画データの先頭のフレーム画像であることを特徴とする請求項３に記載の画像記録再生装置。
【請求項２０】
前記記録媒体上の開始位置または開始時間を表わす情報は、タイムコードであることを特徴とする請求項１乃至１９のいずれかに記載の画像記録再生装置。
【請求項２１】
撮像手段により撮像された動画データと静止画データとを記録媒体に記録すると共に、前記静止画データをプリンタに出力する機能を有する画像記録再生装置の制御方法であって、
前記動画データの記録開始を指示する記録開始工程と、
前記動画データの記録終了を指示する記録終了工程と、
前記記録開始工程における記録開始の指示から前記記録終了工程における記録終了の期間毎に前記動画データを記録する第１の記録工程と、
前記各期間の動画データの内容を代表する静止画を示すサムネール画像データを生成する第１のサムネール画像生成工程と、
前記各期間の動画データの記録順序を示す情報と、前記動画データの記録媒体上の記録開始位置及び記録開始時間の少なくともいずれか一方を表わす情報とを生成し、前記各期間のサムネール画像データに関連付けて記憶媒体に記録する第２の記録工程と、
前記サムネール画像データと、このサムネール画像データに対応する期間の記録順序情報とを関連付けて前記プリンタに出力する第１の出力工程と
を有することを特徴とする制御方法。
【請求項２２】
前記出力工程では、少なくとも各期間のサムネール画像とこのサムネール画像に対応する各期間の記録順序とを互いに近くに配置した第１フォーマットと、少なくとも各期間のサムネール画像と、対応する各期間の記録順序と、各期間に対応した所定の枠とを互いに近くに配置した第２フォーマットのいずれかによりプリントを行うよう、前記サムネール画像データと前記記録順序情報とを前記プリンタに出力することを特徴とする請求項２１に記載の制御方法。
【請求項２３】
前記各期間の動画をシーン毎に分割する分割工程と、
前記分割したシーン毎の動画の内容を代表する静止画を示すサムネール画像データを生成する第２のサムネール画像生成工程と、
前記各シーンの動画データの記録順序を示す情報と、該各シーンの記録媒体上の記録開始位置及び記録開始時間の少なくともいずれか一方を表わす情報とを生成し、前記各シーンのサムネール画像データに関連付けて前記記憶媒体に記録する第３の記録工程と、
前記サムネール画像データと、このサムネール画像に対応するシーンの記録順序情報とを関連付けて前記プリンタに出力する第２の出力工程と
を更に有することを特徴とする請求項２１または２２に記載の制御方法。
【請求項２４】
前記分割工程では、動画の各フレーム画像間の差分を検出する差分検出工程、前記画像記録再生装置におけるズームの変化を検出するズーム検出工程、パンの変化を検出するパン検出工程、チルトの変化を検出するチルト検出工程の内、少なくとも１つを行うことを特徴とする請求項２３に記載の制御方法。
【請求項２５】
前記各期間毎の動画のいずれかを選択する選択工程を更に有し、
前記第２の出力工程では、前記選択工程によりいずれかの期間の動画が選択された場合に、前記選択された期間の動画の、少なくとも各シーンのサムネール画像と、対応する各シーンの記録順序とを互いに近くに配置した第３フォーマットと、前記選択された期間の動画の少なくとも各シーンのサムネール画像と、対応する各シーンの記録順序と、各シーンに対応した所定の枠とを互いに近くに配置した第４フォーマットのいずれかによりプリントを行うよう、前記サムネール画像データと前記記録順序情報とを前記プリンタに出力することを特徴とする請求項２３または２４に記載の制御方法。
【請求項２６】
前記第１の出力工程では、更に、少なくとも各期間の記録順序と、各期間に対応した所定の枠とを互いに近くに配置した第５フォーマットの画像と、所定の枠を配置した第６フォーマットの画像とのいずれかをプリントするよう、前記プリンタを制御することを特徴とする請求項２１または２２に記載の制御方法。
【請求項２７】
前記第２の出力工程では、更に、少なくとも各シーンの記録順序と、各シーンに対応した所定の枠とを互いに近くに配置した第５フォーマットの画像と、所定の枠を配置した第６フォーマットの画像とのいずれかをプリントするよう、前記プリンタを制御することを特徴とする請求項２３乃至２５のいずれかに記載の制御方法。
【請求項２８】
前記所定の枠は、前記動画を再生する順番を記入する為の枠を含むことを特徴とする請求項２６または２７に記載の制御方法。
【請求項２９】
付加情報と、該付加情報に対応する識別情報を記憶する記憶工程を更に有し、
前記所定の枠は、前記付加情報を示す識別情報を記入するための枠を含むことを特徴とする請求項２６乃至２８のいずれかに記載の制御方法。
【請求項３０】
前記付加情報は、音声情報を含むことを特徴とする請求項２９に記載の制御方法。
【請求項３１】
前記付加情報は、画像効果を示す情報であることを特徴とする請求項２９または３０に記載の制御方法。
【請求項３２】
前記第５フォーマットでは、前記記録順序と、前記所定の枠とを異なる色で出力することを特徴とする請求項２６乃至３１のいずれかに記載の制御方法。
【請求項３３】
前記第６フォーマットでは、前記所定の枠を異なる目的毎に異なる色で出力することを特徴とする請求項２６乃至３２のいずれかに記載の制御方法。
【請求項３４】
前記第５及び第６フォーマットの画像の全ページ数を判定する判定工程を更に有し、
前記第５及び第６フォーマットは、前記全ページ数及び各ページ番号を示す情報を示す領域を含むことを特徴とする請求項２６乃至３３のいずれかに記載の制御方法。
【請求項３５】
前記第５及び第６フォーマットの画像の全ページ数を判定する判定工程を更に有し、
前記第５及び第６フォーマットは、必要ページ数及び必要ページのページ番号を示す領域を含むことを特徴とする請求項２６乃至３３のいずれかに記載の制御方法。
【請求項３６】
前記第５及び第６フォーマットの画像の全ページ数を判定する判定工程を更に有し、
前記第５及び第６フォーマットは、各フォーマットの画像に継続するページがあるかどうかを示す情報を含むことを特徴とする請求項２６乃至３３のいずれかに記載の制御方法。
【請求項３７】
動画の編集を指示する編集指示工程と、
動画の編集が指示された場合に、被写体画像の文字を認識し、編集指示情報を取得する認識工程と、
前記編集指示情報に基づいて、前記第１の記録工程で記録された情報及び前記記憶媒体に記憶された情報を用いて、前記記録媒体に記録された動画データの自動編集を行う編集工程と
を有することを特徴とする請求項２２及び２５乃至３６のいずれかに記載の制御方法。
【請求項３８】
代表静止画は各期間の動画データの先頭のフレーム画像であることを特徴とする請求項２１に記載の制御方法。
【請求項３９】
代表静止画は各シーンの動画データの先頭のフレーム画像であることを特徴とする請求項２３に記載の制御方法。
【請求項４０】
前記記録媒体上の開始位置または開始時間を表わす情報は、タイムコードであることを特徴とする請求項２１乃至３９のいずれかに記載の制御方法。
【発明の詳細な説明】
【０００１】
【発明の属する技術分野】
本発明は画像記録再生装置及びその編集方法に関し、特に磁気テープやディスク媒体、メモリーカード等に動画像を記録するデジタルビデオ画像記録再生装置とその編集システムに関するものである。
【０００２】
【従来の技術】
従来より動画像を撮影して磁気テープカセットやディスク型記録媒体、或いはカード型記録媒体に記録するデジタルビデオ画像記録再生装置が普及している。これらを用いて撮影した動画像は失敗シーンや冗長な場面が多く含まれるため、鑑賞する前に編集を行うことが望ましい。
【０００３】
磁気テープを用いた画像記録再生装置で撮影した場合は、シーケンシャルアクセスであるため本質的にアクセス性が悪く（つまり、所望のシーンにすぐにアクセスできない）、特に再生時のアクセス性の改善や編集が重要とされる。磁気テープ型画像記録再生装置で撮影された素材を編集する場合は、通常シリアル通信インタフェースなどを介してパーソナルコンピュータ（以下、「ＰＣ」と略する。）にビデオ素材を取り込んだ後、ＰＣ上の編集ソフトウェアを用いて編集が行われる。
【０００４】
また近年、テープのアクセス性の悪さを改善するため、ディスク型デジタル画像記録再生装置が提案されている。このディスク型デジタル画像記録再生装置は、撮影した各ショットを代表する静止画をディスプレイ上にサムネール表示し、画像記録再生装置上に設置されたボタンの操作により編集作業を行う機能を有する。
【０００５】
更に近年のフラッシュメモリの大容量低価格化に伴い、カードメモリを用いた静止画用デジタルカメラに動画機能を搭載した機種も登場している。
【０００６】
【発明が解決しようとする課題】
しかしながら、テープ型画像記録再生装置の場合、ＩＥＥＥ１３９４などのシリアル通信インタフェースを有するＰＣは、高価である、ＰＣでの編集作業が難しい等の理由で、実際にビデオ編集を行っている画像記録再生装置ユーザーは極めて少数である。
【０００７】
またディスク型画像記録再生装置の場合は、２〜３インチ程度の小画面ディスプレイを見ながら、限られた数と機能のボタンで操作するため、極めて操作性が悪く、実際には十分使われていない。撮影ショット数が増えると編集作業は更に困難となる。
【０００８】
またカードメモリ型画像記録再生装置の場合においては、本体とディスプレイが更に小型となるため、操作性を向上することは一層困難である。
【０００９】
一方、通常多くの画像記録再生装置ユーザーが必要とする編集は、ワイプやディゾルブなどの画面効果挿入などよりももっと単純な、失敗シーンや冗長なシーンのカットやショットの並べ替え程度であり、このような基本的な編集機能を簡単な操作で行えることが望まれている。
【００１０】
本発明は上記問題点を鑑みてなされたものであり、テープ型媒体を用いた画像記録再生装置に対しては、再生時のアクセス性を改善することを第１の目的とする。
【００１１】
また、ディスク型記録媒体やカード型記録媒体を用いた画像記録再生装置に対してはＰＣを用いることなく、簡単な操作でビデオ編集を行うことができるようにすることを第２の目的とする。
【００１２】
【課題を解決するための手段】
上記第１の目的を達成するために、撮像手段により撮像された動画データと静止画データとを記録媒体に記録すると共に、前記静止画データをプリンタに出力する機能を有する本発明の画像記録再生装置は、前記動画データの記録開始を指示する記録開始手段と、前記動画データの記録終了を指示する記録終了手段と、前記記録開始手段による記録開始の指示から前記記録終了手段による記録終了の期間毎に前記動画データを記録する第１の記録手段と、前記各期間の動画データの内容を代表する静止画を示すサムネール画像データを生成するサムネール画像生成手段と、前記各期間の動画データの記録順序を示す情報と、前記動画データの記録媒体上の記録開始位置及び記録開始時間の少なくともいずれか一方を表わす情報とを生成し、前記各期間のサムネール画像データに関連付けて記録する第２の記録手段と、前記サムネール画像データと、このサムネール画像データに対応する期間の記録順序情報とを関連付けて前記プリンタに出力する出力手段とを有することを特徴とする。
【００１３】
また、撮像手段により撮像された動画データと静止画データとを記録媒体に記録すると共に、前記静止画データをプリンタに出力する機能を有する画像記録再生装置の、本発明の制御方法は、前記動画データの記録開始を指示する記録開始工程と、前記動画データの記録終了を指示する記録終了工程と、前記記録開始工程における記録開始の指示から前記記録終了工程における記録終了の期間毎に前記動画データを記録する第１の記録工程と、前記各期間の動画データの内容を代表する静止画を示すサムネール画像データを生成する第１のサムネール画像生成工程と、前記各期間の動画データの記録順序を示す情報と、前記動画データの記録媒体上の記録開始位置及び記録開始時間の少なくともいずれか一方を表わす情報とを生成し、前記各期間のサムネール画像データに関連付けて記憶媒体に記録する第２の記録工程と、前記サムネール画像データと、このサムネール画像データに対応する期間の記録順序情報とを関連付けて前記プリンタに出力する第１の出力工程とを有することを特徴とする。
【００１４】
また、上記第２の目的を達成するために、前記画像記録再生装置の前記出力手段は、更に、少なくとも各期間の記録順序と、各期間に対応した所定の枠とを互いに近くに配置した画像と、所定の枠を配置した画像とのいずれかをプリントするよう、前記プリンタを制御することを特徴とする。また、前記制御方法の前記第１の出力工程では、更に、少なくとも各期間の記録順序と、各期間に対応した所定の枠とを互いに近くに配置した画像と、所定の枠を配置した画像とのいずれかをプリントするよう、前記プリンタを制御することを特徴とする。
【００１５】
【発明の実施の形態】
以下、添付図面を参照して本発明の好適な実施の形態を詳細に説明する。
【００１６】
【第１の実施形態】
図１は、本発明の第１の実施形態におけるテープ型記録媒体を用いるデジタル画像記録再生装置の構成を示すブロック図である。
【００１７】
ドライブユニット１はメカ機構とサーボ機構、ヘッド等から成り、主制御部２によって、磁気テープ３への書き込み及び読み出し動作が制御される。主制御部２はドライブユニット１やシステム全体を制御するためのシステム制御部２１の他に、動画に関する処理を行う動画処理部２２、静止画に関する処理を行うための静止画処理部２３、印刷を行うための印刷処理部２４、ユーザの操作をサポートする表示処理部２５を有する。
【００１８】
主制御部２は図２に示すように内部にＣＰＵ４１とＲＯＭ４２、ＲＡＭ４３を有し、上記各処理部２１〜２４における各処理は、ＲＯＭ４２にプログラムとして格納されている。
【００１９】
システム制御部２１は図３に示すようにドライブ制御部２０１、信号処理制御部２０２、入力処理部２０３、タイムコードカウンタ２０４、ショットＮＯ．カウンタ２０５等から構成されている。動画処理部２２は図４に示すように、空間フィルタ２２１、マルチプレクサ２２２、デマルチプレクサ２２３、ＤＶ圧縮伸長部２２４等から構成されている。静止画処理部２３は図５に示すように代表画像抽出部２３１、ＪＰＥＧ圧縮伸長部２３２、サムネール作成部２３３等から構成されている。
【００２０】
まず、撮影対象の動画の記録再生過程を説明する。
【００２１】
被写体からの反射光は光学系４を通して撮像素子５に投影され、電気信号に変換される。なお、撮像素子５は標準ＴＶ信号の解像度に対する画素数（例えばＮＴＳＣ方式では、水平７２０，垂直４８０）以上の画素数を有するものとする。
【００２２】
操作部７の“撮影開始”ボタン７１が押されると、撮像素子５からはＴＶ信号の１フレーム期間の全ての画素が順次走査で読み出され、撮像系処理回路６にてデジタル化された輝度信号と色差信号が生成される。
【００２３】
図６は撮像系処理回路６の内部の詳細構成を示すブロック図である。撮像素子５から読み出された撮像信号は、ＣＤＳ（相関二重サンプリング）回路６１にてノイズを除去され、ＡＧＣ（自動利得）回路６２にて自動的にゲイン調整された後Ａ／Ｄ変換器６３によりデジタル映像信号に変換される。続いてＹ−Ｃ分離回路６４により輝度信号と色差信号に分離され、カメラ信号処理部６５にて輪郭強調、ホワイトバランス、ガンマ補正などの処理を施されて、デジタル輝度信号（Ｙ）と色差信号（Ｐｒ、Ｐｂ）が生成される。
【００２４】
輝度信号（Ｙ）と色差信号（Ｐｒ、Ｐｂ）はそれぞれ、主制御部２の動画処理部２２の空間フィルタフィルタ２２１により、図７に示すように帯域制限される。即ち、民生用デジタルＶＴＲの標準規格であるＤＶ規格で標準動画を記録する場合、折り返しノイズを考慮して輝度信号は水平６．７５ＭＨｚ、垂直２４０本に（同図の斜線部）帯域制限される。不図示だが、色差信号は、ＰｒとＰｂが点順次化されているため、水平は更に３．３７５ＭＨｚに帯域制限される。
【００２５】
帯域制限された輝度信号と点順次の色差信号は、動画処理部２２のマルチプレクサ２２２にて多重化され、４：２：２フォーマットのＹ／Ｐｒ／Ｐｂデータが生成される。このＹ／Ｐｒ／Ｐｂデータは、バッファメモリ８に蓄積された後、主制御部２の動画処理部２２のＤＶ圧縮伸長部２２４にて標準のＤＶフォーマットに適用されるＤＣＴを用いた圧縮アルゴリズムによって圧縮され、最後に記録信号処理回路９にて同期符号やエラー訂正符号の付加、シャフリング、変調などが行われて、ドライブユニット１を介して磁気テープ３上の映像記録領域に記録される。なお、音声信号の記録は本発明とは無関係であるので、ここでは説明を省略する。
【００２６】
このようにして“撮影終了”ボタン７２が押されるまで動画が記録される。なお、“撮影開始”ボタンの再押下により終了するように構成することもできる。
【００２７】
また、撮影開始時には、後述の方法で生成したタイムコードが同時にテープ３上の所定の領域（例えば不図示のサブコード領域）に記録される。
【００２８】
再生は上記と逆の処理を行えば良く、本発明とは無関係であるので、説明を省略する。
【００２９】
次に、本第１の実施形態における印刷用の静止画と時間情報の記録過程を説明する。
【００３０】
最初に“撮影開始”ボタン７１が押され、サーボ機構が安定して上記の動画記録が開始すると、主制御部２のシステム制御部２１のタイムコードカウンタ２０４とショットＮＯ．カウンタ２０５がカウント開始する（ショットＮＯ．カウンタは１カウント増えるのみ）とともに、そのタイムコードカウンタ２０４の初期値（この場合「０」）とショットＮＯ．（最初は「１」）がシステム上の所定の領域、例えば内蔵フラッシュメモリ（途中で電源を落としても内容が消えないように不揮発性）１１上の所定領域に書き込まれる。併行して、主制御部２の静止画処理部２３の代表画像抽出部２３１により最初のフレーム画像が代表静止画として抽出され、続いてＪＰＥＧ圧縮伸長部２３２により圧縮された後、サムネール作成部２３３により縮小されたサムネール画像として生成され、システム上の所定の領域に追記される。
【００３１】
また、上記の撮影中にフレーム単位でカウントアップされているタイムコードは、前述したように動画記録と同時にテープ３上の所定の領域、例えば不図示のサブコード領域にフレーム毎に記録される。以下に続くショットでも同様の処理が行われる。
【００３２】
“撮影終了”ボタン７２の押下によってタイムコードカウンタ２０４は停止する（停止値を“ｎ”とする）。
【００３３】
その後、再び“撮影開始”ボタン７１が押下されると、タイムコードカウンタ２０４は上記の停止値からカウントアップを再開し、カウントアップ初期値「ｎ＋１」とその時の最初のフレーム画像のサムネール画像を、上記と同様にしてシステム上の所定の領域に書き加える。
【００３４】
また、ショットＮＯ．カウンタ２０５も１カウントアップし、２回目の撮影動作の場合にはショットＮＯ．「２」が所定領域に書き込まれる。
【００３５】
以上を繰り返すことにより、“撮影開始”ボタン７１を押下するごとに、各ショットの代表静止画としての最初のフレーム画像のサムネール画像とともに、各ショットのテープ３上の開始位置を表わすタイムコードと、ショットＮＯ．とがシステム上の所定の領域、例えば内蔵フラッシュメモリ１１上の所定領域に追記されていく。
【００３６】
このようにして記憶された結果を図８に示す。
【００３７】
撮影終了後に、例えば“一括記録”ボタンなどの操作部７の所定ボタン押下（不図示）により、上記のサムネール画像と、各ショットのテープ上の開始位置を表わすタイムコードと、ショットＮＯ．とが、テープ上の所定の領域、例えば先頭領域にまとめて記録される。
【００３８】
次に、本第１の実施形態におけるサムネール画像とタイムコード情報の印刷過程について説明する。
【００３９】
まず、ユーザーが操作部７により巻き戻し操作を行い、テープの先頭部分まで巻き戻す。その後、ユーザーが操作部７の“印刷”ボタン７３を押下すると、主制御部２のシステム制御部２１の入力処理部２０３がこれを検出してドライブユニット１を制御し、テープ３上の先頭領域が再生され、サムネール画像データと、各ショットのテープ上の開始位置を表わすタイムコードと、それぞれに対応したショットＮＯ．がＲＡＭ４３に読み込まれる。一方、主制御部２の印刷処理部２４が起動される。図９は印刷処理部２４の構成を示すブロック図であり、印刷処理部２４は、印刷条件設定部２４１、データ伸張部２４２、マトリクス変換部２４３、ラスタライザ２４４、色補正処理部２４５、ハーフトーン処理部２４６、データ送信部２４７とを有する。
【００４０】
印刷処理部２４の印刷条件設定部２４１は、表示処理部２５、出力回路１４を介して表示部１５に“サムネール一覧を印刷しますか？”のメッセージを表示する。ユーザーが“ＯＫ”ボタン７５を押下すると、印刷処理部２４のデータ伸長部２４２により、ＪＰＥＧ圧縮されているサムネール画像データが順次伸長され、元の縮小されたサムネール画像に復号される。このサムネール画像はＹ／Ｐｒ／Ｐｂ信号であるため、マトリクス変換部２４３によりプリンタ１３に適したＲ、Ｇ、Ｂ信号に変換される。次に、Ｒ、Ｇ、Ｂ変換された画像データは、ラスタライザ２４４によりＲ、Ｇ、Ｂ毎にラスタ化された多階調（例えば６４階調）のビットイメージデータに変換され、続く色補正処理部２４５によりインクに対応した印刷用のＹ、Ｍ、Ｃ、Ｋの多階調ビットイメージデータに変換される。この多階調ビットイメージデータは、ハーフトーン処理部２４６により各色毎にディザ法や誤差拡散法などにて２値化されたビットマップデータに変換される。ハーフトーン処理が終わると、データ送信部２４７により２値化されたビットマップデータとなったサムネール画像データは、キャラクタデータであるショットＮＯ．及びタイムコード情報とともに所定の印字フォーマットに変換され、通信インタフェース部１２を介してプリンタ１３に送信され、プリンタ１３により印刷用紙に印刷が行われる。
【００４１】
なお、通信インタフェースとしては汎用のＩＥＥＥ１３９４やＵＳＢなどを使用することができる。
【００４２】
図１０は、印刷例（以下、「サムネール一覧」と呼ぶ。）を示す図である。
【００４３】
この例では、Ａ４用紙１枚に３０個のサムネール画像１０１と、対応したショットＮＯ．（１０２）がその上に、またそれぞれのテープ上の開始位置を示すタイムコード１０３が対応したサムネール画像１０１の下に印刷されている。例えばショットＮＯ．０１は００：００：００（単位は、分：秒：フレーム）で始まり、０４：５９：２９で終了し、ショットＮＯ．０２は０５：００：００で始まり、０７：０５：２７で終了することを表わしている。
【００４４】
ユーザーは所望のショットのタイムコード情報を見て各ショットの画像データがテープ上に録画されている位置を知ることができ、不図示のテープカウンタを見ながら早送り巻き戻し機能を併用しながら所望のショットに迅速にアクセスすることが可能となる。
【００４５】
また、操作部７の“数字”ボタン７４を利用してショットＮＯ．または直接タイムコードを入力し、主制御部２のシステム制御部２１により、早送りや巻き戻し機能を用いてテープ上のサブコード領域に記録されたタイムコード情報を参照しながら、自動的にテープ上の所望の位置にアクセスするようにすることで、更に操作性を向上することも可能である。
【００４６】
なお、本第１の実施形態では、サムネール一覧の中に、サムネール画像と共に、ショットＮＯ．とタイムコードの両方を印字しているが、いずれか一方でも十分であることは上記の説明から明白である。
【００４７】
また、本第１の実施形態では、記録媒体上の開始位置または開始時間を表わす情報としてタイムコードを用いたが、その他の情報、例えば実時間（時計）であってもよい。
【００４８】
また、代表静止画として先頭フレームを用いたが、必ずしも先頭である必要はなく、例えば、画像認識手段を用いて検出したショットの中間の画像であっても良い。
【００４９】
【第２の実施形態】
図１１は本発明の第２の実施形態におけるデジタル画像記録再生装置の構成を示すブロック図である。図１と同様の構成には同じ参照番号を付している。
【００５０】
第２の実施形態では記録媒体としてディスク型媒体（図１１の例では、光磁気ディスク）３３を使用しているところが第１の実施形態と異なり、アクセス性に優れたディスク型記録媒体の特徴を更に生かすために、主制御部３２に新たに編集処理部２６と認識処理部２７が、操作部３７に“自動編集”ボタン７７が導入されている。
【００５１】
動画及びサムネール画像とタイムコードの記録・再生過程は、磁気テープをディスクに置き換えた以外は第１の実施形態と同一であるため省略し、本第２の実施形態の特徴である印刷過程と編集過程について、以下に詳述する。
【００５２】
まず、第１の実施形態と同じく、図１０に示すフォーマットでＡ４用紙１枚に、３０個のサムネール画像１０１と、対応したショットＮＯ．（１０２）と、各ショットのディスク３３上の開始位置を示すタイムコード１０３を印刷する（サムネール一覧）。
【００５３】
次に、印刷処理部２４はショットＮＯ．（１０４）を枠付きで、続けてその下に空欄枠１０５を、ショットの順番に並べて印刷できるように印刷データを生成し、通信インタフェース１２を介してプリンタ１３に送信する。プリンタ１３は図１２に示すようなフォーマット（以下、「入力フォーム」と呼ぶ。）でプリント用紙に印刷する。
【００５４】
ユーザーはサムネール一覧を照合し、編集にあたってカットしたいショットや残したいショットの順番を直感的に判断することができる。その結果、例えばショットＮＯ．０１と０３をカットし、ショットＮＯ．０２、０５、０４の順番に編集したいものとすると、図１３に示すように入力フォームに、ショットＮＯ．０１と０３の空欄は未記入のままとし、ショットＮＯ．０２の空欄に“０１”、ショットＮＯ．０５の空欄に“０２”、ショットＮＯ．０４の空欄に“０３”を、それぞれ手書きで記入する。
【００５５】
次にユーザーは、記入済みの入力フォーム全体がほぼフル画面となるようにズーム機構を操作し、図１１の画像記録再生装置の静止画撮影機能を用いてこの入力フォームを静止画として撮影する。
【００５６】
撮影が終了すると、取り込まれだ静止画像としての入力フォームはバッファメモリ８に蓄積される。
【００５７】
ユーザーが操作部の“自動編集”ボタン７７を押下すると、主制御部３２の編集処理部２６が起動される。編集処理部２６は図１４に示すような機能で構成されており、編集データ入力部２６１により入力フォームの静止画データをバッファメモリ８から認識処理部２７に送信すると、一旦処理を認識処理部２７に引き継ぐ。
【００５８】
認識処理部２７は図１５に示す機能で構成されている。まず、二値化部２７１にて二値化が行われ、続いて図形抽出部２７２にて図１３におけるショットＮＯ．枠（奇数行目）と、編集順序指定枠（偶数行目）とが抽出される。これらの枠は予め形状とサイズが決まっているので認識は容易である。
【００５９】
次に、数字切り出し部２７３により上記の各枠内の数字の切り出しが行われる。これも予めサイズと桁数が決まっているので切り出しは容易である。切り出された数字は数字認識部２７４にて、不図示の特徴抽出や、いくつかの候補との比較が行われ、最後に前後関係などから認識決定部２７５により認識数字が決定される。
【００６０】
なお、上記において数字はビデオカメラの解像度に対して十分大きいサイズで記述されているので高精度で検出することが可能であり、公知の技術を用いて上記の数字認識が可能である。そして、このように認識したショットＮＯ．の数字と編集順序の数字との位置関係に基づき、編集順序を認識する。
【００６１】
以上の結果、ショットＮＯ．と、ショットＮＯ．から図８のテーブルを参照して得られたタイムコード情報と、編集順序とが認識されると、処理は再び主制御部３２の編集処理部２６に引き渡される。
【００６２】
編集処理部２６では、編集テーブル生成部２６２により再生すべきデータのショットＮＯ．とその再生順序を決定し、編集手順を示す編集テーブル（不図示）が生成される。続いて編集制御部２６３が、作成された編集テーブルを用い、システム制御部２１のドライブ制御部２０１、信号処理制御部２０２（図３参照）と連携して実際に画像データの自動編集作業を遂行する。
【００６３】
次に自動編集作業の詳細を説明する。
【００６４】
例えば図１６のようにディスク３３上に記録されたデータに対し、図１３の編集指示がなされているとすると、まず、システム制御部２１のドライブ制御部２０１はドライブ３１の不図示のヘッドをディスク３３上のショット０２の記録位置にシークさせ、このショット０２のデータを先頭から最後まで再生信号処理部１０により読み取り、、一旦バッファメモリ８に蓄積した後、再び記録信号処理部９を介してディスク３３の他の領域に記録する。なお、この時、バッファメモリ８の容量が不足する場合は上記の動作をバッファメモリの容量内で複数回に分けて行えばよい。
【００６５】
次いで同様の動作により、ショットＮＯ．０５のデータ、ショットＮＯ．０４のデータの順番にディスク３３上の対応した領域から読み出し、バッファメモリ８を介して、上記の新しい領域に記録されたショットＮＯ．０２のデータの後にシーケンシャルに記録する。
【００６６】
以上の結果、図１７に示すように編集指示内容どおりに編集が行われたことになる。
【００６７】
本第２の実施形態においては、印刷されたサムネール一覧と入力フォームを見比べ、入力フォームの空欄に単に編集順序を手書きで記入するだけ、という極めて簡単かつ直感的な操作で編集指示を行い、これを静止画撮影するだけで自動的に編集が行われるため、一般のユーザーでも極めて手軽にビデオ編集を行うことが可能である。
【００６８】
また、画像記録再生装置とプリンタだけで操作が行えるため、従来のようなＰＣを使うわずらわしさからユーザーを解放することが可能となる。
【００６９】
なお、本第２の実施形態ではサムネール一覧と入力フォームを別々に印刷したが、入力フォームにサムネール画像も付加して印刷して１枚に収めても良い。
【００７０】
また、本第２の実施形態では数字認識を容易にするためにショットＮＯ．を枠付きで印刷したが、認識側で工夫することによりこれを省くことも可能である。
【００７１】
また、本第２の実施形態では手書き数字認識を容易にするために空欄枠を印刷し、そこに編集順序を指示する数字を書き込むようにしたが、認識側で工夫することによりこれを省くことも可能である。
【００７２】
【第３の実施形態】
図１８は本発明の第３の実施形態におけるデジタル画像記録再生装置の構成を示すブロック図である。なお、図１及び図１１と同様の構成には同じ参照番号を付している。
【００７３】
ブロック構成としては記録媒体としてカード型フラッシュメモリ３４を使用しているところ、及びメカ部を持たないためドライブが省かれているところが第２の実施形態と異なる。また、基本動作としては可動部を持たないところを除いて第２の実施形態と同じであるため、第２の実施形態と異なる動作、及び特徴について説明する。
【００７４】
第３の実施形態においては、着脱式のカード型フラッシュメモリ３４を有するため内蔵フラッシュメモリを省くことが可能である。
【００７５】
また、本第３の実施形態は動画記録機能を有するデジタルカメラに好適であり、デジタルカメラの静止画解像度（２００〜３００万画素）は通常画像記録再生装置の静止画解像度（約４０万画素）よりも高いので、１枚の入力フォームに記載するショットの数を多く（文字を小さく）しても十分読み取ることができ、編集対象のショット数が多くなった場合でも入力フォームを撮影する回数を低減することが可能となり、ユーザーの操作性を向上することが可能となる。
【００７６】
【第４の実施形態】
次に、本発明の第４の実施形態について説明する。
【００７７】
本第４の実施形態のデジタル画像記録再生装置は、図１１または図１８に示すデジタル画像記録再生装置と基本的に同様の構成を有するものを用いる。ただし、図１１及び図１８に示すものとは認識処理部２７の構成が異なっており、本第４の実施形態の認識処理部２７の構成は図２０に示す。
【００７８】
図１９は本発明の第４の実施形態における入力フォームの様式を示す模式図である。本第４の実施形態では、図１９に示すように、ショットＮＯ．枠１０４が赤（Ｒ）、編集順序枠１０５が青（Ｂ）でそれぞれ印刷されている。
【００７９】
また認識処理部２７には、図２０に示すように、図１５を参照して説明した構成に新たに色抽出部２７６が導入されており、編集情報が記入された入力フォームを撮影して得られた画像データから所定の閾値を超えた各Ｒ、Ｇ、Ｂ成分が抽出される。
【００８０】
本第４の実施形態では、編集情報入力部の印刷、読み取り、自動編集の各課程は上記第２の実施形態で説明したものと同様であり、認識の一部のみ異なる。第２の実施形態では、図形抽出部２７２において枠の形状、サイズ、位置、個数を検出する。しかし実際には枠の数が多いので、それぞれの位置の検出は複雑な処理である。これに対して、本第４の実施形態では図形抽出部２７２では単に形状とサイズのみを認識し、色成分抽出部２７６により検出された枠の色との連携処理によってショットＮＯ．枠、編集順序枠をそれぞれ確定する。
【００８１】
この場合、Ｒ、Ｇ、Ｂの３種類の色の判別はきわめて容易且つ安定しているため、第２の実施形態における方法よりも簡単な処理で認識精度を向上することが可能となる。
【００８２】
なお、上記例ではショットＮＯ．枠１０４を赤で、編集順序枠１０５を青で印刷したがこれに限るものでは無く、枠の色は任意に選択することができる。しかし、上記の通り判別しやすい色を選択した方が、認識精度の面で有利である。
【００８３】
【第５の実施形態】
次に、本発明の第５の実施形態について説明する。
【００８４】
本第５の実施形態のデジタル画像記録再生装置は、図１１または図１８に示すデジタル画像記録再生装置と基本的に同様の構成を有するものを用いる。
【００８５】
図２１は、本発明の第５の実施形態における入力フォームの様式を示す模式図である。
【００８６】
同図において、編集時にユーザーが希望のショットを選択し、選択したショットのショットＮＯ．を再生したい順番で記入するための空欄枠である編集順ショットＮＯ．枠１２０が、例えば横方向に１０個、それが縦方向に６行並んで合計６０個印刷されている。
【００８７】
ユーザーは図１０のインデックスプリントを参照して残したいショットを選択し、再生したい順番にショットＮＯ．を左上の空欄から順次記入してゆく。図２１では、ショットＮＯ．０２、０５、０４、１１、１２の順番で再生する場合の記入例を示している。
【００８８】
上記第２乃至第４の実施形態では「再生したいショットＮＯ．に対応した再生順序を記入する」のに対して、本第５の実施形態では、「再生順ショットＮＯ．枠に再生したい順番でショットＮＯ．を記入する」ものである。記入操作そのものについていずれが良いかはユーザーの好みで選ぶことができる。
【００８９】
記入済みの入力フォームを撮影し、数字認識、自動編集する課程は上記第２の実施形態で説明したものと同様であり、ショットＮＯ．を認識すれば、図８のテーブルを参照してそのショットの画像データが記録されている場所にアクセスすることができる。
【００９０】
本第５の実施形態では、入力フォームにおいてショットＮＯ．枠を省いたため、その分編集順ショットＮＯ．枠１２０の数が増える。このように、１ページあたりの編集情報量を増やす事によって、総ショット数が多い場合にも入力フォームのページ数を削減し、ユーザーの操作性を更に向上することが可能となった。
【００９１】
なお、各ショットのショットＮＯ．とサムネール画像からなるインデックスと、入力フォームを統合して１枚の入力フォームとして印刷しても良い。こうすることによって１ページあたりのショット数は減少するが、引き替えに、別紙に印刷されたインデックスプリントと入力フォームを見比べるという煩わしさを解消することが可能になる。
【００９２】
【第６の実施形態】
次に、本発明の第６の実施形態について説明する。本第６の実施形態では、音声も含めて編集する場合について説明する。
【００９３】
図２２は本第６の実施形態におけるデジタル画像記録再生装置の構成を示すブロック図、図２３は本発明の第６の実施形態における入力フォームの様式を示す模式図、図２４は記録媒体のデータ領域を示す図である。図２２に示すように、本第６の実施形態におけるデジタル画像記録再生装置の構成は、図１１に示す構成にオーディオＩ／Ｆ１３０を加えたものであり、その他の構成要素には図１１と同じ参照番号を付してその詳細説明を省略する。また、本第６の実施形態の入力フォームには、図２３に示すように、図１２に示す入力フォームに新たにアフレコ指示枠１２１を導入したものである。
【００９４】
なお、本第６の実施形態における入力フォームの印刷、読み取り、認識、自動編集の基本課程は上記第２の実施形態で説明したものと同様だが、入力フォームの項目が追加された分印刷項目が増え、そのために認識と自動編集の一部が異なる。以下、本第６の実施形態で追加される動作について説明する。
【００９５】
ユーザーが撮影後にＢＧＭを挿入しようとする場合、編集に先立って例えばＣＤプレーヤー等のオーディオ機器１４０をデジタル画像記録再生装置と接続し、オーディオインターフェース部１３０を介して所望の曲を光磁気ディスク３３の所望の領域に録音しておく。
【００９６】
例えば図２４に示すように、光磁気ディスク３２には撮影データ領域とは異なる領域にアフレコ用音声保存領域を設けておき、領域番号、タイトルと共に曲データがＢＧＭ１，ＢＧＭ２…といったように記録される。
【００９７】
ユーザーが、例えば映像はショットＮＯ．０２を１番目とし、その次にショットＮＯ．０５、そしてショットＮＯ．０４とつなげ、背景音楽として曲データＢＧＭ１をショットＮＯ．０２からショット０５に跨って曲の先頭より連続して挿入し、ショットＮＯ．０４にはＢＧＭ２を挿入したいものとすると、図２３に示すようにショットＮＯ．０２と０５に対応したアフレコ指示枠１２１−２と１２１−５にそれぞれ、ＢＧＭ１が記録されている領域の番号「１」を、またアフレコ指示枠１２１−４にＢＧＭ２が記録されている領域の番号「２」を記入する。なお、編集順序枠１０５への記入方法は、第２の実施形態と同様である。
【００９８】
認識処理部２７の動作は基本的には上記第２の実施形態と同様であり、入力フォームにおいて３行目の枠がアフレコ指示枠として解釈され、図示しないがＢＧＭに関する処理が新たに追加されるだけである。即ち、認識処理部２７はショットＮＯ．枠１０４、編集順序枠１０５の数字に加え、アフレコ指示枠の数字を認識し、各数字の位置関係に基づいて再生すべきショットＮＯ．及びその再生順序とＢＧＭ用の音声データの再生順序を認識する。
【００９９】
そして、認識処理部２７の数字認識により上記のアフレコ情報が認識されると、編集処理部２６はこの再生順序に従うタイミングで指定されたＢＧＭ１，ＢＧＭ２の音声データが再生されるように、各ショットの画像データとＢＧＭの音声データとをドライブユニット３１により再生し、光磁気ディスク３３上の撮影データ領域とは異なる他の領域に編集後の映像及び音声データを記録する。
【０１００】
なお、アフレコ指示枠は上記第４の実施形態を応用して、他の枠と異なる色で印刷しても良い。また、図２５に示すように、入力フォームにショットＮＯ．を予め印刷するのではなく、空き枠のみを印刷し、上記第５の実施形態と同様にしてショットＮＯ．を、更にショットＮＯ．の下の対応する枠内にＢＧＭが記録されている領域の番号を記入するようにしても良い。
【０１０１】
また、静止画撮影機能を有するテープ型画像記録再生装置の場合には、静止画記録用の記録媒体としてのメモリカードにＢＧＭを記憶して供給してもよい。
【０１０２】
上記の通り本第６の実施形態によれば、操作が極めて簡単で直感的な方法でより高度なビデオ編集を行うことができる。
【０１０３】
【第７の実施形態】
次に、本発明の第７の実施形態について説明する。
【０１０４】
本第７の実施形態のデジタル画像記録再生装置は、図１１または図１８に示すデジタル画像記録再生装置と基本的に同様の構成を有するものを用いる。ただし、図１１及び図１８に示すものとは編集処理部２６の構成が異なっており、本第７の実施形態の編集処理部２６は図２７に示すように、図１４に示す構成に効果処理部６を追加したものである。
【０１０５】
図２６は本発明の第７の実施形態における入力フォームの様式を示す模式図である。本第７の実施形態の入力フォームは、図２６に示すように、図１２に示す入力フォームに新たにトランジェントエフェクトなどの画面効果を指示するための画面効果指示枠１２２を導入したものである。
【０１０６】
なお、本第７の実施形態における入力フォームの印刷、読み取り、認識、自動編集の基本課程は上記第２の実施形態で説明したものと同様だが、入力フォームの項目が追加された分印刷項目が増え、そのために認識と自動編集の一部が異なる。以下、本第７の実施形態で追加される動作について説明する。
【０１０７】
ユーザーが、例えば映像はショットＮＯ．０２を１番目とし、その次にショットＮＯ．０５、そしてショットＮＯ．０４とつなげ、画面効果としてショット０５の始まりにワイプを、ショット０４の始まりにディゾルブをそれぞれ挿入したいものとすると、図２６のようにショットＮＯ．０５に対応した効果指示枠１２２−５に、予めワイプに対応して設定されている番号「５」を、またショットＮＯ．０４に対応した画面効果指示枠１２２−４に、予めディゾルブに対応して設定されている番号「６」を記入する。なお、編集順序枠１０５への記入方法は第２の実施形態と同様である。
【０１０８】
認識処理部２７の動作は基本的には上記第２の実施形態と同様であり、入力フォームにおいて３行目の枠が画面効果指示枠として解釈され、図示しないがその部分の処理が新たに追加されるだけである。
【０１０９】
すなわち、認識処理部２７の数字認識により上記の画面効果情報が認識されると、編集処理部２６の効果処理部２６５の中の対応処理ルーチンが呼び出され、指示された位置の画像データに対してワイプ、ディゾルブの処理を施し、ドライブユニット３１を介して光磁気ディスク３３上の撮影データ領域とは異なる他の領域に編集後の映像及び効果映像を記録する。
【０１１０】
なお、現時点において画像記録再生装置単体で効果画面を生成するには高性能のＣＰＵを必要とし、コストも増大するが、将来ＣＰＵのコストが低下すれば本機能を民生用画像記録再生装置に搭載することも可能となる。
【０１１１】
また、図２６に示す入力フォームでは第６の実施形態のアフレコ指示枠が無いが、アフレコ指示枠があっても勿論構わない。また、上記第４の実施形態を応用して、他の枠と異なる色で印刷しても良い。また、図２８に示すように、入力フォームにショットＮＯ．を予め印刷するのではなく、空き枠のみを印刷し、上記第５の実施形態と同様にしてショットＮＯ．を、更にショットＮＯ．の下の対応する枠内に画面効果の種類を示す番号を記入するようにしても良い。
【０１１２】
上記の通り本第７の実施形態によれば、操作が極めて簡単で直感的な方法でより高度なビデオ編集を行うことができる。
【０１１３】
【第８の実施形態】
本第８の実施形態では、上記アフレコ指示と、画面効果指示とを両方行う。
【０１１４】
本第８の実施形態のデジタル画像記録再生装置は、上記第６及び第７の実施形態で説明した構成を全て含み、更に、認識処理部２７が図２０に示すものと同様に色成分抽出部２７６を含む構成を有する。なお、その他の構成については上述されているため、ここでは説明を省略する。
【０１１５】
図２９は本発明の第８の実施形態における入力フォームの様式を示す模式図である。本第８の実施形態の入力フォームは、図２９に示すように、編集したい順にショットＮＯ．を記入するための枠１０４と、アフレコ指示枠１２１と、トランジェントエフェクトなどの画面効果を指示するための画面効果指示枠１２２とを有する。それぞれの枠は、ショットＮＯ．枠１０４は赤、アフレコ指示枠１２１は緑、画面効果指示枠１２２は青で印刷されている。
【０１１６】
本第８の実施形態では、図形抽出部２７２で形状とサイズのみを認識し、色成分抽出部２７６により検出された枠の色との連携処理によってショットＮＯ．枠１０４、アフレコ指示枠１２１、画面効果指示枠１２２をそれぞれ確定する。その他の動作は、上記第６及び第７の実施形態で説明したものと同様である。
【０１１７】
この場合、Ｒ、Ｇ、Ｂの３種類の色の判別はきわめて容易且つ安定しているため、１色で各枠を印刷する方法よりも簡単な処理で認識精度を向上することが可能となる。
【０１１８】
なお、上記例ではショットＮＯ．枠１０４を赤で、アフレコ指示枠１２１は緑、画面効果指示枠１２２は青で印刷したがこれに限るものでは無く、枠の色は任意に選択することができる。しかし、上記の通り判別しやすい色を選択した方が、認識精度の面で有利である。
【０１１９】
【第９の実施形態】
第９の実施形態は、特に入力フォームが複数ページから構成される場合のページ間処理を簡単な処理により確実に行うものであり、入力フォームの印刷、読み取り、認識、自動編集の基本動作は第２の実施形態と同様であり、印刷と認識の一部のみ異なるので、以下これらの部分について説明する。
【０１２０】
図３０〜図３２は本第９の実施形態における入力フォームの様式を示す模式図である。
【０１２１】
同図において、編集方法入力部１０４の外側の所定の位置に、「そのページのページ番号」（１０６−１）、「−」、「総ページ数」（１０６−２）の順序で記載されるページ情報からなるページ番号欄１０６が設けられている。
【０１２２】
図３０は入力フォームが３枚で完結する場合の１ページ目を示す。この場合、１枚の用紙に印刷できる枠の数は限られているため、入力フォーム印刷時には印刷すべきショットＮＯ．の数から印刷ページ数が「３」であることが予め分かっている。従って１枚目のページ番号欄１０６には「０１−０３」のページ情報が印刷される。２枚目と３枚目はそれぞれ図３１、図３２に示すようにページ番号欄１０６には、それぞれ「０２−０３」、「０３−０３」が印刷される。
【０１２３】
ユーザーは例えば、１ページ目のショット０２を１番目とし、その次にショット０５、更にショット０４とつなげ、次に３ページ目のショット６１，６２，６３、更に２ページ目のショット４２，４３，４４と繋ぐために、図３０〜図３２に示すように各ショットに対応する編集順序枠１０５に編集順序０１から０９を書き込み、入力フォームをページ順に撮影する。
【０１２４】
次に認識時には図形抽出部２７２（図１５）により、まずショットＮＯ．枠１０４よりも大きい１個の長方形がページ番号枠１０６として検出され、内部のページ番号「０１」と総ページ数「０３」が数字認識され、続く以下の奇数行目がショットＮＯ．に関する行、偶数行目が編集順序に関する行であることが認識され、各行のショットＮＯ．枠、編集順序枠の認識とそれぞれの枠の内部の数字認識が、所定の最終行（この場合６行目）まで行われる。
【０１２５】
また、３ページ目では「ページ番号」と「総ページ数」が一致するためこのページが最終ページであることが認識され、このページの最終行の認識処理を以て認識処理は終了する。
【０１２６】
以上のようにして取得した情報を基にして、編集処理部２６により編集した結果、図示しないが、各ショットＮＯ．「０２−０５−０４−６１−６２−６３−４２−４３−４４」の順番で画像データを再生する。
【０１２７】
なお、本第９の実施形態では入力フォームをページ順に撮影したが、ページ順でなくてもページ番号を参照することにより、全てのページが揃ったことを確認することで認識処理を終了することができる。
【０１２８】
【第１０の実施形態】
図３３、図３４は本発明の第１０の実施形態における入力フォームの様式を示す模式図である。本第１０の実施形態は、第９の実施形態と同様に入力フォームが複数枚に亘る場合の別の様式について説明する。本第１０の実施形態も第９の実施形態と同じく３枚で完結する場合を例にする。入力フォーム印刷時には印刷すべきショットＮＯ．の数から印刷ページ数が「３」であることが予め分かっており、３ページ目までのページ番号枠１０７、ショットＮＯ．枠１０４及び編集順序枠１０５が印刷されている。
【０１２９】
第９の実施形態と異なるのは、ページ番号枠１０７の内部に「ページ番号」と「総ページ数」が印刷されておらず、「−」のみが印刷されていることである。本第１０の実施形態は、ユーザーが編集にあたって、印刷された全ての入力フォームのページ（実際にはショット）を必要としない場合に、ユーザーの入力操作を簡素化するために好適なものである。
【０１３０】
すなわち、例えば２ページ目以降のショットが不要な場合、ユーザーは図３４に示すように、１ページ目のページ番号枠１０７の中に入力フォームとしてのページ数、この場合１ページ目である「０１」と総ページ数「０１」を、またショットＮＯ．０２、０５、０４に対応した編集順序枠１０５にそれぞれ「０１」、「０２」、「０３」を記入し、この入力フォームを撮影する。
【０１３１】
以後の認識、編集処理は第９の実施形態と同じである。
【０１３２】
以上のようにして、不要な２ページ目以降の撮影などの操作を省くことが可能となる。
【０１３３】
【第１１の実施形態】
図３５は本発明の第１１の実施形態における入力フォームの様式を示す模式図である。本第１１の実施形態は、第９、１０の実施形態と同様に入力フォームが複数枚に亘る場合の別の様式を示す模式図である。本第１１の実施形態も第９、１０の実施形態と同じく３枚で完結する場合を例にする。
【０１３４】
図３５において、ショットＮＯ．枠１０５及び編集順序枠１０５を含む編集情報入力部１１０の外側の所定位置に、スタートマーク位置１１１、継続マーク位置１１２がそれぞれ設けられている。本第１１の実施形態におけるこれらのマークの使い方を、図３６、図３７を参照して説明する。なお両図において編集情報入力部の詳細は省略している。
【０１３５】
図３６は入力フォームが１枚で完結する場合を示す。この場合、入力フォーム印刷時には印刷すべきショットＮＯ．の数から印刷ページ数が「１」であることが予め分かっている。従ってスタートマークの位置において枠の内部が共に黒く塗りつぶされたスタートマーク１１１が印刷される。また、継続マークの位置１１２は空白のまま残される。
【０１３６】
次に、認識時には図形認識部２７２により、まず黒の長方形であるスタートマーク１１１が検出され、続く編集情報入力部１１０の奇数行目がショットＮＯ．に関する行、偶数行目が編集順序に関する行であることが認識され、第９の実施形態と同様にして、各行のショットＮＯ．枠、編集順序枠の認識とそれぞれの枠の内部の数字認識が、１個だけの塗りつぶされていない長方形である継続マーク１１２を検出するまで行われる。継続マークの位置１１２が塗りつぶされていないことを検出すると、以下のページに継続されないため認識処理は終了する。
【０１３７】
この場合、黒く塗りつぶされた所定サイズの長方形１個だけから成るスタートマークの認識は非常に簡単で精度が高く、従ってこの確実に認識されたスタートマークに近接して最初のショットＮＯ．枠も確実に検出されることから、以後の認識処理の確度も一段と向上することになる。このことは継続マークに関しても同様である。
【０１３８】
図３７は入力フォームが３枚で完結する場合を示す。この場合、入力フォーム印刷時には印刷すべきショットＮＯ．の数から印刷ページ数が「３」であることが予め分かっている。従って１〜３枚目のスタートマーク１１１の枠内が黒で塗りつぶされて印刷され、また、１枚目と２枚目の継続マーク１１２が、いずれも枠の内部が黒で塗りつぶされて印刷される。ここで、３枚目の継続マーク１１２は空白のまま残される。
【０１３９】
次に認識時には図形認識部２７２により、まず黒の長方形であるスタートマーク１１１が検出され、続く編集情報入力部１１０の奇数行目がショットＮＯ．に関する行、偶数行目が編集順序に関する行であることが認識され、上記の入力フォームが１枚で完結する場合と同様にして、各行のショットＮＯ．枠、編集順序枠の認識とそれぞれの枠の内部の数字認識が、黒で塗りつぶされた継続マーク１１２を検出するまで行われる。継続マーク１１２の検出により、このページの認識処理は終了すると共に２ページ目の処理に移行する。
【０１４０】
引き続き２ページ目の処理がスタートマーク１１１の検出より１ページ目と同様に行われ、継続マーク１１２の検出により終了し、３ページ目の処理に移行する。
【０１４１】
３ページ目の処理はスタートマーク１１１の検出より１ページ目と同様に行われる。そして、継続マーク１１２が塗りつぶされていないことを検出すると、以下のページに継続されないため認識処理は終了する。
【０１４２】
なお、入力フォーム印刷時にスタートマークと継続マークの位置でいずれも枠のみ印刷しておき、ページ数が多い場合に編集にあたってユーザーが必要とするページのみに適宜それぞれのマークを塗りつぶすようにしても良い。こうすることによりシステムに最小限の入力を行うことができ、無駄な処理を省くことが可能となる。
【０１４３】
なお、本第１１の実施形態と、第９及び／または第１０の実施形態のページ番号を用いる方式とを併用してもよい。
【０１４４】
【第１２の実施形態】
図３８は本発明の第１２の実施形態における画像記録再生装置の構成を示すブロック図、図３９は主制御部２内部のシステム制御部２１の本第１２に実施形態における構成を示すブロック図、図４０は動画処理部２２の本第１２に実施形態における構成を示すブロック図である。
【０１４５】
上記第２の実施形態で参照した図１１に示す構成に対し、図３８においては新たに数字入力部８１とサブショット印刷ボタン７８が、また図３９においては、図３に示す構成に新たにサブショットＮＯ．カウンタ２１１が、更に図４０においては図４に示す構成に新たにシーンチェンジ検出部２２５がそれぞれ追加されている。その他の構成は上記実施形態で同じ参照番号を付したものと同様であるので、説明を省略する。
【０１４６】
本第１２の実施形態は、シーンチェンジによりショットを更にサブショットに分割し、サブショット単位の編集を可能とするものであり、その特徴部分であるインデックス情報（ショット及びサブショットの番号、媒体上の時間または位置情報、及びそれらのサムネール画像）の記録、入力フォームとその印刷、読み取りの各課程について詳述することとし、認識、自動編集の基本課程は第２の実施形態と同様であるため、ここでは説明を省略する。
【０１４７】
最初に“撮影開始”ボタン７１が押され、サーボ機能が安定して動画記録が開始すると、主制御部２のシステム制御部２１のタイムコードカウンタ２０４とショットＮＯ．カウンタ２０５、及びサブショットＮＯ．カウンタ２１１がカウント開始する（ショットＮＯ．カウンタとサブショットＮＯ．カウンタは１カウント増えるのみ）とともに、そのタイムコードカウンタ２０４の初期値（この場合「０」）とショットＮＯ．及びサブショットＮＯ．（最初は共に「１」）がシステム上の所定の領域、例えば内蔵フラッシュメモリ（途中で電源を落としても内容が消えないように不揮発性）１１上の所定領域に書き込まれる。併行して、主制御部２の静止画処理部２３の代表画像抽出部２３１（図５参照）により最初のフレーム画像が代表静止画として抽出され、続いてＪＰＥＧ圧縮慎重部２３２により圧縮された後、サムネール作成部２３３により縮小されたサムネール画像として生成され、システム上の所定領域に追記される。
【０１４８】
また、上記の撮影中にフレーム単位でカウントアップされているタイムコードは、動画記録と同時に光磁気ディスク３３上の所定領域（不図示）にフレーム毎に記録される。
【０１４９】
これらの過程と併行して、各ショットにおいてシーンチェンジ検出部２２５により、例えばフレーム間差分値が逐次計算されており、差分値が所定の値を超えてシーンチェンジと判定されると、サブコードＮＯ．カウンタがカウントアップされ、その直後の１フレームの画像データを代表画像抽出部２３１により抽出してサムネール画像データを生成する。そして、サブショットのインデックス情報として、このサムネール画像データ、シーンチェンジを検出した時のタイムコード、及びサブショットカウンタの値（この場合「２」）が、システム上の所定領域、例えば、内蔵フラッシュメモリ１１上の所定領域に書き込まれる。
【０１５０】
引き続き、シーンチェンジが検出される度に、サブコードＮＯ．カウンタ２１１がカウントアップし、その直後のフレーム画像のサムネール画像、その時のタイムコード、及びサブショットカウンタの値が上記のサブショットのインデックス情報エリアに追記されていく。以下に続くショットでも同様である。
【０１５１】
次に、ユーザーが操作部４７の“印刷”ボタン７３を押下すると、インデックス情報と入力フォームがそれぞれ図１０、図１２に示すように印刷される。ここで、第２の実施形態と同じようにユーザーがショット単位に図１３に示すように編集指示を行ったとする。すなわち、図１３の記入済みの入力フォーム全体がほぼフル画像となるようにズーム機能を操作して画像記録再生装置の静止画撮影機能を用いて静止画撮影を行い、自動編集作業が遂行されたものとする。
【０１５２】
この後、ユーザーが例えば、ショットＮＯ．０４について更に細かい編集を行うために、数字入力部７４にて「４」を入力し、続いてサブショット印刷ボタン７８を押下すると、図４１に示すように、最初にその時のショットＮＯ．０４（１５０）と、そのショットを構成する各サブショットのサムネール１５２がサブショットＮＯ．（１５１）、タイムコード１５３（必須ではない）と共に順番に印刷される。以下、これを「インデックスプリント」と呼ぶ。続いて図４２に示すように、別紙にショットＮＯ．０４（１５４）及び各サブショット毎にサブショットＮＯ．（１５５）と対応サブコードとサブショットの編集順序を指定するための空欄枠（１５６）を順番に印刷する（以下、「サブショット編集入力フォーム」と呼ぶ。）。
【０１５３】
ユーザーはサブショットのインデックスプリントとサブショット編集入力フォームとを照合し、例えばサブショットＮＯ．０１と０３をつなげ、その他のサブショットを削除したい場合には、サブショットＮＯ．０１と０３に対応した空欄枠１５６にそれぞれ「０１」「０２」を記入し、他は空白のまま残す。
【０１５４】
図４３は記入済みのサブショット編集入力フォームを示す。サブショット編集入力フォーム全体がほぼフル画面となるようにズーム機構を操作して画像記録再生装置の静止画撮影機能を用いて静止画撮影を行い、ショット編集の時と同様にして、指定したショット０４部分についてサブショット単位の自動編集作業が行われる。
【０１５５】
なお、前述の各実施形態では、ショット単位で再生順序を指定していたが、本形態ではサブショットを単位として再生順序を指定している。そのため、ディスクからの再生時には、各サブショットのタイムコードに基づき、一つのショット内で対応するタイムコード部分の画像データのみをディスクから再生することになる。
【０１５６】
また、自動編集により編集後のデータを光磁気ディスク３３上の新たな領域に記録し直しても良いし、編集情報のみを光磁気ディスク３３上の所定の領域に保存しておいて、編集情報に基づいて自動再生だけを行うようにしても良い。
【０１５７】
また、インデックスプリントを参照し、数字入力部７４によって所望のサブショットＮＯ．を入力することによってプレビューだけを行うように構成しても良い。
【０１５８】
上記の通り、本第１２の実施形態によれば、ＰＣを用いることなく、ビデオ編集をより細かく、簡単に行うことが可能となる。
【０１５９】
また、本第１２の実施形態では撮影時にシーンチェンジ検出によりショット分割を行ったが、撮影後（編集時）に行うようにしても良い。
【０１６０】
【第１３の実施形態】
図４４は本発明の第１３の実施形態の画像記録再生装置における特徴部分のみの構成を示すブロック図で、操作部５７、主制御部２中のシステム制御部２１、静止画処理部２３の構成を示す図である。
【０１６１】
上記第１２の実施形態に対し、同図では操作部５７においてズームボタン７９が、またシステム制御部２１の入力処理部２０３においてはズーム制御部２１２がそれぞれ新たに追加され、更に、ズーム制御部２１２による制御に起因して行われる処理の流れが新たに導入されている。なお、ズームボタン７９とズーム制御部２１２は本第１３の実施形態の説明の都合上新たに図示されたもので、本発明が対象とする画像記録再生装置には、通常備わっているものである。本第１３の実施の形態では、サブショットの代表画像抽出方法が上記第１２の実施形態と異なるだけであり、以下その部分のみを説明する。
【０１６２】
各ショットにおいてユーザーがズームボタン７９を操作する度に、ズーム制御部２１２によりズームスピードが逐次計算されており、各ショットの動画及びショットＮＯ．とサムネール画像とタイムコードの生成、所定の領域への追記と並行して、ズームスピードが所定の値を超えた場合にシーンチェンジと判定する。これは、ゆっくりとしたズームの場合はズームしているときの画像を見せたい部分であって、シーンの変わり目ではないためである。そして、その直後のフレーム画像のサムネール画像が代表画像抽出部２３１により抽出され、その時のタイムコード及びカウントアップされたサブショットＮＯ．と共にサブショットインデックス情報として、システム上の所定の領域、例えば内蔵フラッシュメモリ１１上の所定領域に書き込まれる。
【０１６３】
なお、サブショットの代表画像の抽出は、本第１３の実施形態の方法と第１２の実施形態の方法とを併用しても勿論構わない。
【０１６４】
【第１４の実施形態】
図４５は本発明の第１４の実施形態における画像記録再生装置のブロック図、図４６は主制御部２内部のシステム制御部の構成を示すブロック図である。
【０１６５】
上記第１２及び第１３の実施形態に対し、図４５においては新たに加速度センサー５１が、また図４６においては新たにカメラワーク検出部２１３がそれぞれ追加されている。本第１４の実施形態では、代表画像抽出方法が上記第１２及び第１３の実施形態と異なるだけで、その他の部分は同様であるため、異なる部分のみを説明する。
【０１６６】
各ショットにおいてユーザーがカメラのアングル操作を行う度に、加速度センサー５１によりカメラの変位量が逐次計算されており、各ショットの動画及びショットＮＯ．とサムネール画像とタイムコードの生成、所定の領域への追記と並行して、カメラワーク検出部２１３に実装されたアルゴリズムによって、画面効果として見せたい場合のパンやチルト操作であるか、またはシーンチェンジの為の急激なパンやチルト操作であるか、または失敗操作（更に急激な変動を伴う操作を行った場合）であるかが判定される。後二者の場合にはその直後のフレーム画像のサムネール画像が代表画像抽出部２３１により抽出され、その時のタイムコード及びカウントアップされたサブショットＮＯ．と共にサブショットのインデックス情報として、システム上の所定の領域、例えば内蔵フラッシュメモリ１１上の所定領域に書き込まれる。
【０１６７】
なお、サブショットの代表画像の抽出は、本第１４の実施形態の方法と、第１２及び／または第１３の実施形態の方法とを適宜併用しても勿論構わない。
【０１６８】
なお、本発明は、以上の各実施の形態、または、それら技術要素を必要に応じて組み合わせるようにしてもよい。
【０１６９】
【発明の効果】
以上説明したように本発明によれば、テープ型画像記録再生装置のアクセス性を改善することができる。
【０１７０】
また、ディスク型記録媒体やカード型記録媒体を用いた画像記録再生装置において、ＰＣを用いることなく、簡単な操作でビデオ編集を行うことができる。
【図面の簡単な説明】
【図１】本発明の第１の実施形態におけるテープ型記録媒体を用いるデジタル画像記録再生装置の構成を示すブロック図である。
【図２】主制御部の構成を示すブロック図である。
【図３】主制御部内のシステム制御部の機能構成を示すブロック図である。
【図４】主制御部内の動画処理部の機能構成を示すブロック図である。
【図５】主制御部内の静止画処理部の機能構成を示すブロック図である。
【図６】撮像系処理回路の内部詳細構成を示すブロック図である。
【図７】空間フィルタの特性を示す図である。
【図８】フラッシュメモリの記録領域に記録されたデータの模式図である。
【図９】主制御部内の印刷処理部の機能構成を示すブロック図である。
【図１０】本発明の第１の実施形態における印刷例を示す図である。
【図１１】本発明の第２の実施形態におけるディスク型記録媒体を用いるデジタル画像記録再生装置の構成を示すブロック図である。
【図１２】本発明の第２の実施形態における入力フォームの印刷例を示す図である。
【図１３】本発明の第２の実施形態における入力フォームの入力例を示す図である。
【図１４】本発明の第２の実施形態における主制御部内の編集処理部の機能構成を示すブロック図である。
【図１５】本発明の第２の実施形態における主制御部内の認識処理部の機能構成を示すブロック図である。
【図１６】編集前のディスク媒体上のデータ構成を示す図である。
【図１７】編集後のディスク媒体上のデータ構成を示す図である。
【図１８】本発明の第３の実施形態におけるカード型フラッシュメモリを記録媒体として用いるデジタル画像記録再生装置の構成を示すブロック図である。
【図１９】本発明の第４の実施形態における入力フォームの様式を示す模式図である。
【図２０】本発明の第４の実施形態における主制御部内の認識処理部の機能構成を示すブロック図である。
【図２１】本発明の第５の実施形態における入力フォームの様式を示す模式図である。
【図２２】本発明の第６の実施形態におけるディスク型記録媒体を用いるデジタル画像記録再生装置の構成を示すブロック図である。
【図２３】本発明の第６の実施形態における入力フォームの様式を示す模式図である。
【図２４】本発明の第６の実施形態における記録媒体のデータ領域を示す図である。
【図２５】本発明の第６の実施形態における入力フォームの別の様式を示す模式図である。
【図２６】本発明の第７の実施形態における入力フォームの様式を示す模式図である。
【図２７】本発明の第７の実施形態における画像記録再生装置の編集処理部の構成を示すブロック図である。
【図２８】本発明の第７の実施形態における入力フォームの別の様式を示す模式図である。
【図２９】本発明の第８の実施形態における入力フォームの様式を示す模式図である。
【図３０】、
【図３１】、
【図３２】本発明の第９の実施形態における入力フォームの様式を示す模式図である。
【図３３】、
【図３４】本発明の第１０の実施形態における入力フォームの様式を示す模式図である。
【図３５】本発明の第１１の実施形態における入力フォームの様式を示す模式図である。
【図３６】本発明の第１１の実施形態における入力フォームの使用例（１枚構成）を示す模式図である。
【図３７】本発明の第１１の実施形態における入力フォームの使用例（３枚構成）を示す模式図である。
【図３８】本発明の第１２の実施形態における画像記録再生装置の構成を示すブロック図である。
【図３９】本発明の第１２の実施形態における主制御部内のシステム制御部の機能構成を示すブロック図である。
【図４０】本発明の第１２の実施形態における主制御部内の動画処理部の機能構成を示すブロック図である。
【図４１】本発明の第１２の実施形態におけるサブショットのインデックスプリントの模式図である。
【図４２】本発明の第１２の実施形態におけるサブショット入力フォームの模式図である。
【図４３】本発明の第１２の実施形態における記入済みのサブショット入力フォームの模式図である。
【図４４】本発明の第１３の実施形態における特徴部分の構成を示すブロック図ある。
【図４５】本発明の第１４の実施形態における画像記録再生装置の構成を示すブロック図である。
【図４６】本発明の第１４の実施形態における主制御部内のシステム制御部の機能構成を示すブロック図である。
【図１】
2004080599.tif 000003
【図２】
2004080599.tif 000004
【図３】
2004080599.tif 000005
【図４】
2004080599.tif 000006
【図５】
2004080599.tif 000007
【図６】
2004080599.tif 000008
【図７】
2004080599.tif 000009
【図８】
2004080599.tif 000010
【図９】
2004080599.tif 000011
【図１０】
2004080599.tif 000012
【図１１】
2004080599.tif 000013
【図１２】
2004080599.tif 000014
【図１３】
2004080599.tif 000015
【図１４】
2004080599.tif 000016
【図１５】
2004080599.tif 000017
【図１６】
2004080599.tif 000018
【図１７】
2004080599.tif 000019
【図１８】
2004080599.tif 000020
【図１９】
2004080599.tif 000021
【図２０】
2004080599.tif 000022
【図２１】
2004080599.tif 000023
【図２２】
2004080599.tif 000024
【図２３】
2004080599.tif 000025
【図２４】
2004080599.tif 000026
【図２５】
2004080599.tif 000027
【図２６】
2004080599.tif 000028
【図２７】
2004080599.tif 000029
【図２８】
2004080599.tif 000030
【図２９】
2004080599.tif 000031
【図３０】
2004080599.tif 000032
【図３１】
2004080599.tif 000033
【図３２】
2004080599.tif 000034
【図３３】
2004080599.tif 000035
【図３４】
2004080599.tif 000036
【図３５】
2004080599.tif 000037
【図３６】
2004080599.tif 000038
【図３７】
2004080599.tif 000039
【図３８】
2004080599.tif 000040
【図３９】
2004080599.tif 000041
【図４０】
2004080599.tif 000042
【図４１】
2004080599.tif 000043
【図４２】
2004080599.tif 000044
【図４３】
2004080599.tif 000045
【図４４】
2004080599.tif 000046
【図４５】
2004080599.tif 000047
【図４６】
2004080599.tif 000048